(57)【要約】【課題】バッテリー端子に接続される第１の端子板部の形状変更等の設計変更を行わずとも、バッテリー端子とヒュージブルリンクとの間の抵抗特性を変更することができるバッテリー端子取付用ヒューズユニットを提供すること。【解決手段】一端側の第１の端子板部３ａがバッテリー端子１０５に接続されると共に他端側の第２の端子板部３ｂが出力側電装回路５に接続される金属板製のバスバー３の第１の端子板部３ａと第２の端子板部３ｂとを、同一の取り付け形状に形成したことで、第２の端子板部３ｂをバッテリー端子１０５に接続して使用することで、第１の端子板部３ａの形状変更等の設計変更を行わずとも、バッテリー端子１０５とヒュージブルリンク９との間の抵抗特性を変更することが可能になる。【選択図】図１
2010073516.tif 000002
【特許請求の範囲】
【請求項１】
一端側の第１の端子板部がバッテリー端子に接続されると共に他端側の第２の端子板部が出力側電装回路に接続される金属板製のバスバーと、このバスバーをバッテリーの稜線部を跨ぐＬ字形状に収容する樹脂製のヒューズハウジングとを備え、
前記バスバーは、バッテリーの稜線部に沿って折り曲げられる折曲げ部と前記第１の端子板部との間、又は前記折曲げ部と第２の端子板部との間の何れかに、過電流により溶断するように端子板部間を導通接続するヒュージブルリンクが設けられるバッテリー端子取付用ヒューズユニットであって、
前記第１の端子板部と前記第２の端子板部とを、同一の取り付け形状に形成したことを特徴とするバッテリー端子取付用ヒューズユニット。
【請求項２】
前記折曲げ部から第１の端子板部の取付け部までの距離Ｘと、前記折曲げ部から第２の端子板部の取付け部までの距離Ｙとを等しくしたことを特徴とする請求項１に記載のバッテリー端子取付用ヒューズユニット。
【発明の詳細な説明】
【技術分野】
【０００１】
本発明は、バッテリーから離れて設置されるヒューズボックスを経由せずとも、バッテリーに対してヒューズを介した電線接続を可能にするバッテリー端子取付用ヒューズユニットに関するものである。
【背景技術】
【０００２】
図７は、バッテリーから離れて設置されるヒューズボックスを経由せずとも、バッテリーに対してヒューズを介した電線接続を可能にするバッテリー端子取付用ヒューズユニットの従来例を示したものである。
【０００３】
ここに示したバッテリー端子取付用ヒューズユニット１０１は、下記特許文献１に開示されたもので、一端側の第１の端子板部１０３ａがバッテリー端子１０５に接続されると共に他端側の第２の端子板部（不図示）が出力側電装回路（出力電線）１０７に接続される金属板製のバスバー１０３と、このバスバー１０３をバッテリー１０９の稜線部１０９ａを跨ぐＬ字形状に収容する樹脂製のヒューズハウジング１１１とを備えている。
【０００４】
前記バスバー１０３は、バッテリー１０９の稜線部１０９ａに沿って折り曲げられる不図示の折曲げ部と前記第２の端子板部（不図示）との間に、過電流により溶断するように上記の第１及び第２の端子板部間を導通接続するヒュージブルリンク１１３が設けられている。
【０００５】
バッテリー端子１０５は、バッテリー１０９の上面に突設されたバッテリーポスト１０９ｂに締結されるポスト連結部１０５ａと、このポスト連結部１０５ａの一側に延設されたヒューズユニット接続用の板部１０５ｂとを具備しており、該板部１０５ｂには第１の端子板部１０３ａをねじ止めするためのスタッドボルト１０５ｃが植設されている。
【０００６】
即ち、バスバー１０３の第１の端子板部１０３ａは、スタッドボルト１０５ｃによる締結によってバッテリー端子１０５に接続され、該バッテリー端子１０５を介して、バッテリーポスト１０９ｂに導通接続される。
【０００７】
従来のヒューズユニット１０１の場合、一般に、バスバー１０３の一端側の第１の端子板部１０３ａと、他端側の第２の端子板部とは、それぞれ専用の取り付け構造を採用していて、互いの取り付け構造が異なっている。
【０００８】
図示例の場合、第１の端子板部１０３ａは、バッテリー端子１０５のスタッドボルト１０５ｃを締結するボルト挿通孔を有した取り付け構造である。これに対して、不図示の第２の端子板部は、出力側電装回路１０７をコネクタ接続するタブ端子構造になっている。
【０００９】
【特許文献１】特開２００５−１３５７９２号公報
【発明の開示】
【発明が解決しようとする課題】
【００１０】
ところで、通常、ヒューズユニットにおける溶断特性は、第１の端子板部１０３ａと第２の端子板部との間を導通接続するヒュージブルリンクの容量により調整するようにしている。
【００１１】
しかし、実際には、バッテリー端子１０５を含めた第１の端子板部１０３ａの抵抗特性、及び、出力側電装回路１０７側の接続端子を含めた第２の端子板部の抵抗特性が、通電時におけるヒュージブルリンクの周辺の発熱特性や放熱特性に影響を及ぼし、それによって、ヒュージブルリンクの溶断性能も影響を受ける。
【００１２】
従って、ヒューズユニットにおける溶断特性をより正確に設定するには、ヒューズユニットの第１の端子板部１０３ａや第２の端子板部の抵抗特性も正確に管理し、溶断特性を調整する際には、これらの第１の端子板部１０３ａや第２の端子板部の抵抗特性も調整する必要が生じる場合がある。
【００１３】
従来のバッテリー端子取付用ヒューズユニット１０１の場合、出力側電装回路１０７側の定格の変更等に応じて、例えば、バッテリー端子とヒュージブルリンクとの間の抵抗特性を変更する場合には、第１の端子板部１０３ａの形状変更等の設計変更を行い、それに伴い、バスバー１０３を製造する際の打ち抜き型の新規な起工や、該バスバー１０３をヒューズハウジング１１１にインサート成形するインサート成形型の新規な起工が必要となる。
【００１４】
その結果、バッテリー端子とヒュージブルリンクとの間の抵抗特性の変更には多額な経済的な負担がかかり、抵抗特性の変更には簡単には対応できないという問題が生じた。
【００１５】
本発明の目的は上記課題を解消することに係り、バッテリー端子に接続される第１の端子板部の形状変更等の設計変更を行わずとも、バッテリー端子とヒュージブルリンクとの間の抵抗特性を変更することができ、出力側電装回路側の定格の変更等に応じたバッテリー端子とヒュージブルリンクとの間の抵抗特性の変更に、コストをかけずに対応することができる汎用性の高いバッテリー端子取付用ヒューズユニットを提供することを目的とする。
【課題を解決するための手段】
【００１６】
本発明の前述した目的は、下記の構成により達成される。
（１）  一端側の第１の端子板部がバッテリー端子に接続されると共に他端側の第２の端子板部が出力側電装回路に接続される金属板製のバスバーと、このバスバーをバッテリーの稜線部を跨ぐＬ字形状に収容する樹脂製のヒューズハウジングとを備え、
前記バスバーは、バッテリーの稜線部に沿って折り曲げられる折曲げ部と前記第１の端子板部との間、又は前記折曲げ部と第２の端子板部との間の何れかに、過電流により溶断するように端子板部間を導通接続するヒュージブルリンクが設けられるバッテリー端子取付用ヒューズユニットであって、
前記第１の端子板部と前記第２の端子板部とを、同一の取り付け形状に形成したことを特徴とするバッテリー端子取付用ヒューズユニット。
【００１７】
（２）  前記折曲げ部から第１の端子板部の取付け部までの距離Ｘと、前記折曲げ部から第２の端子板部の取付け部までの距離Ｙとを等しくしたことを特徴とする上記（１）に記載のバッテリー端子取付用ヒューズユニット。
【００１８】
上記（１）の構成によれば、バスバーの第１の端子板部と第２の端子板部とを同一の取り付け形状に形成しているため、第１の端子板部をバッテリー端子に取り付けた形態と、バッテリー端子に対する取り付け向きを変えて第２の端子板部をバッテリー端子に取り付けた形態のいずれでも使用することができる。
【００１９】
従って、ヒュージブルリンクを挟む第１の端子板部側と第２の端子板部側とで抵抗特性を変えておけば、バッテリー端子に接続される第１の端子板部の形状変更等の設計変更を行わずとも、バッテリー端子に対する取り付け向きを変えるだけで、バッテリー端子とヒュージブルリンクとの間の抵抗特性を変更することができ、出力側電装回路側の定格の変更等に応じたバッテリー端子とヒュージブルリンクとの間の抵抗特性の変更に、コストをかけずに対応することができ、汎用性が向上する。
【００２０】
上記（２）の構成によれば、バッテリー端子に対する取り付け向きを変更して、第２の端子板部をバッテリー端子に取り付けた形態にしたときでも、出力側電装回路の接続位置が変化しないため、出力側電装回路の接続性について互換性を維持したまま、バッテリー端子とヒュージブルリンクとの間の抵抗特性を変更して、出力側電装回路側の定格の変更等に応じることができる。
【発明の効果】
【００２１】
本発明によるバッテリー端子取付用ヒューズユニットによれば、バスバーの第１の端子板部と第２の端子板部とを同一の取り付け形状に形成しているため、第１の端子板部をバッテリー端子に取り付けた形態と、バッテリー端子に対する取り付け向きを変えて第２の端子板部をバッテリー端子に取り付けた形態のいずれでも使用することができる。
【００２２】
従って、ヒュージブルリンクを挟む第１の端子板部側と第２の端子板部側とで抵抗特性を変えておけば、バッテリー端子に接続される第１の端子板部の形状変更等の設計変更を行わずとも、バッテリー端子に対する取り付け向きを変えるだけで、バッテリー端子とヒュージブルリンクとの間の抵抗特性を変更することができ、出力側電装回路側の定格の変更等に応じたバッテリー端子とヒュージブルリンクとの間の抵抗特性の変更に、コストをかけずに対応することができ、汎用性が向上する。
【発明を実施するための最良の形態】
【００２３】
以下、本発明に係るバッテリー端子取付用ヒューズユニットの好適な実施の形態について、図面を参照して詳細に説明する。
【００２４】
図１は本発明に係るバッテリー端子取付用ヒューズユニットの一実施の形態のバッテリーへの通常の取り付け向きを示す斜視図、図２は図１に示したバッテリー端子取付用ヒューズユニットの第２の端子板部から出力側電装回路を取り外した状態の斜視図、図３は図２に示したバッテリー端子取付用ヒューズユニットに使用されているバスバーの構造を示す斜視図、図４は図３に示したバスバーの展開状態の寸法説明図である。
【００２５】
この一実施の形態のバッテリー端子取付用ヒューズユニット１は、一端側の第１の端子板部３ａがバッテリー端子１０５に接続されると共に他端側の第２の端子板部３ｂが出力側電装回路（出力電線）５に接続される金属板製のバスバー３と、このバスバー３をバッテリー１０９の稜線部１０９ａを跨ぐＬ字形状に収容する樹脂製のヒューズハウジング７とを備えている。
【００２６】
バッテリー端子１０５は、バッテリー１０９の上面に突設されたバッテリーポスト１０９ｂに締結されるポスト連結部１０５ａと、このポスト連結部１０５ａの一側に延設されたヒューズユニット接続用の板部１０５ｂとを具備しており、該板部１０５ｂには第１の端子板部１０３ａをねじ止めするためのスタッドボルト１０５ｃが植設されている。
【００２７】
即ち、バスバー３の第１の端子板部３ａは、スタッドボルト１０５ｃによる締結によってバッテリー端子１０５に接続され、該バッテリー端子１０５を介して、バッテリーポスト１０９ｂに導通接続される。
【００２８】
本実施の形態のバスバー３は、図３に示すように、バッテリー１０９の稜線部１０９ａに沿って折り曲げられる折曲げ部３１と第２の端子板部３ｂとの間に、過電流により溶断するように第１及び第２の端子板部３ａ，３ｂ間を導通接続するヒュージブルリンク９が設けられている。
【００２９】
そして、本実施の形態のバスバー３では、第１の端子板部３ａと第２の端子板部３ｂとを、同一の取り付け形状に形成している。
【００３０】
即ち、第１の端子板部３ａは、バッテリー端子１０５への取り付け構造として、スタッドボルト１０５ｃを締結するボルト挿通孔３ｃを有している。そして、第２の端子板部３ｂも、取り付け構造として、第１の端子板部３ａと同一のボルト挿通孔３ｃを設けた構造としている。
【００３１】
従って、図１に示した出力側電装回路５の端部（接続端子部）は、ボルト挿通孔３ｃを挿通するボルト１３により、第２の端子板部３ｂに締結されるようになっている。
【００３２】
本実施の形態のヒュージブルリンク９は、金属板の打ち抜きによって第１の端子板部３ａ及び第２の端子板部３ｂと一体形成された細幅の帯板状の連結基板部９１と、この連結基板部９１に一体形成された加締め片９３により連結基板部９１上に締結された低融点金属チップ９５とで形成されている。低融点金属チップ９５は、加締め片９３による加締めにより固定した後、加熱溶融されて、連結基板部９１に溶着した状態に装備される。
【００３３】
本実施の形態のバスバー３は、図３及び図４に示すように、折曲げ部３１から第１の端子板部３ａの取付け部（ボルト挿通孔３ｃ）までの距離Ｘと、折曲げ部３１から第２の端子板部３ｂの取付け部（ボルト挿通孔３ｃ）までの距離Ｙとを、等しくしている。
【００３４】
本実施の形態のバスバー３において、出力側電装回路５の定格に応じたヒュージブルリンク９の容量設定は、図４に示すように、低融点金属チップ９５を溶着させた連結基板部９１の両端部間の区間Ｌ１の抵抗値を調整することにより行う。
【００３５】
但し、実際のヒュージブルリンク９の溶断特性には、バッテリーポスト１０９ｂから出力側電装回路５までの導電路全体の抵抗特性や放熱特性が影響し、図１に示すように、バッテリー端子１０５や出力側電装回路５の端部を含めた区間Ｌ２における抵抗特性や放熱特性を配慮する必要がある。
【００３６】
そこで、本実施の形態のバスバー３では、ヒュージブルリンク９の溶断特性をより高度に出力側電装回路５の定格に対応させるために、第１の端子板部３ａの幅寸法Ｍ１、第２の端子板部３ｂの幅寸法Ｍ２、第１の端子板部３ａの取付け部（ボルト挿通孔３ｃ）からヒュージブルリンク９までの距離Ｓ１、第２の端子板部３ｂの取付け部（ボルト挿通孔３ｃ）からヒュージブルリンク９までの距離Ｓ２を適宜値に選定する。
【００３７】
また、本実施の形態の場合は、ヒュージブルリンク９の周辺に、微少な穴又は凹み２１を装備し、且つ、その装備数を調整することにより、各領域Ｗ１，Ｗ２の抵抗特性を調整するようにしている。
【００３８】
本実施の形態の場合、上記の寸法Ｍ１，Ｍ２，Ｓ１，Ｓ２の選定、及び穴又は凹み２１の装備数の選定により、各領域Ｗ１，Ｗ２の抵抗特性は、互いに異なる値に設定している。
【００３９】
具体的には、例えば、図１に示すように第１の端子板部３ａをバッテリー端子１０５に接続して使用する場合には、ヒュージブルリンク９の定格が１２０Ａとして機能し、図５に示すように、第２の端子板部３ｂをバッテリー端子１０５に接続して使用する場合には、ヒュージブルリンク９の定格が１００Ａとして機能するように、上記各領域Ｗ１，Ｗ２の抵抗特性を設定している。
【００４０】
以上に説明した一実施の形態のヒューズユニット１では、バスバー３の第１の端子板部３ａと第２の端子板部３ｂとを同一の取り付け形状に形成しているため、図１に示したように第１の端子板部３ａをバッテリー端子１０５に取り付けた形態と、バッテリー端子１０５に対する取り付け向きを変えて図５に示したように第２の端子板部３ｂをバッテリー端子１０５に取り付けた形態のいずれでも使用することができる。
【００４１】
従って、ヒュージブルリンク９を挟む第１の端子板部３ａ側と第２の端子板部３ｂ側とで上記実施の形態のように抵抗特性を変えておけば、バッテリー端子１０５に接続される第１の端子板部３ａの形状変更等の設計変更を行わずとも、バッテリー端子１０５に対する取り付け向きを変えるだけで、バッテリー端子１０５とヒュージブルリンク９との間の抵抗特性を変更することができ、出力側電装回路５側の定格の変更等に応じたバッテリー端子１０５とヒュージブルリンク９との間の抵抗特性の変更に、コストをかけずに対応することができ、汎用性が向上する。
【００４２】
更に、上記実施の形態のヒューズユニット１の場合は、バッテリー端子１０５に対する取り付け向きを変更して、第２の端子板部３ｂをバッテリー端子１０５に取り付けた形態にしたときでも、出力側電装回路５の接続位置が変化しないため、出力側電装回路５の接続性について互換性を維持したまま、バッテリー端子１０５とヒュージブルリンク９との間の抵抗特性を変更して、出力側電装回路５側の定格の変更等に応じることができる。
【００４３】
また、上記実施の形態のバスバー３では、折曲げ部３１と第２の端子板部３ｂとの間にヒュージブルリンク９を装備したが、ヒュージブルリンク９の装備位置は、折曲げ部３１と第１の端子板部３ａとの間に設けるようにしても良い。
【００４４】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００４５】
【図１】本発明に係るバッテリー端子取付用ヒューズユニットの一実施の形態のバッテリーへの通常の取り付け向きを示す斜視図である。
【図２】図１に示したバッテリー端子取付用ヒューズユニットの第２の端子板部から出力側電装回路を取り外した状態の斜視図である。
【図３】図２に示したバッテリー端子取付用ヒューズユニットに使用されているバスバーの構造を示す斜視図である。
【図４】図３に示したバスバーの展開状態の寸法説明図である。
【図５】一実施の形態のバッテリー端子取付用ヒューズユニットの第２の端子板部をバッテリー端子に接続したときの斜視図である。
【図６】図５に示したバッテリー端子取付用ヒューズユニットにおけるバスバーの向きを示す斜視図である。
【図７】従来のバッテリー端子取付用ヒューズユニットの斜視図である。
【符号の説明】
【００４６】
１  バッテリー端子取付用ヒューズユニット
３  バスバー
３ａ  第１の端子板部
３ｂ  第２の端子板部
３ｃ  ボルト挿通孔
５  出力側電装回路
９  ヒュージブルリンク
１０５  バッテリー端子
１０５ａ  ポスト連結部
１０５ｂ  板部
１０５ｃ  スタッドボルト
１０９  バッテリー
１０９ａ  稜線部
１０９ｂ  バッテリーポスト
【図１】
2010073516.tif 000003
【図２】
2010073516.tif 000004
【図３】
2010073516.tif 000005
【図４】
2010073516.tif 000006
【図５】
2010073516.tif 000007
【図６】
2010073516.tif 000008
【図７】
2010073516.tif 000009